【手続補正書】
【提出日】平成20年5月15日(2008.5.15)
【手続補正１】
【補正対象書類名】明細書
【補正対象項目名】特許請求の範囲
【補正方法】変更
【補正の内容】
【特許請求の範囲】
【請求項１】
コンピュータで実現され、生産印刷ワークフローを表現し制御するインタフェースにおいて、
ディスプレイと、
ドキュメントを表現する第一のドキュメント・オブジェクトであって、前記ドキュメントはさらに内容とフォーマッティングを含み、前記フォーマッティングは前記ドキュメントの少なくとも１ページを定義し、前記第一のドキュメント・オブジェクトは前記ディスプレイ上で第一の視覚的表現と関連付けられる、第一のドキュメント・オブジェクトと、
グローバルなドキュメント属性を表現するドキュメント・チケット・オブジェクトであって、前記ドキュメント・チケット・オブジェクトは前記ディスプレイ上で第二の視覚的表現と関連付けられ、前記第一のドキュメント・オブジェクトと関連付けられることもできる、ドキュメント・チケット・オブジェクトと、
前記少なくとも１ページの中の１ページのページ属性を表現するページ・オブジェクトであって、前記ページ・オブジェクトは前記ディスプレイ上で第三の視覚的表現と関連付けられ、前記第一のドキュメント・オブジェクトと関連付けられることもできる、ページ・オブジェクトと、
前記第一のドキュメント・オブジェクトの少なくとも一つと第二のドキュメント・オブジェクトとの順序づけられた関連付けを表現できる本のオブジェクトで、前記第二のドキュメント・オブジェクトは、前記第一のドキュメント・オブジェクトの前記少なくとも一つの各々においてそれぞれのドキュメントのすべての順序づけられた組立てを含む本のドキュメントと関連付けられていて、前記本のオブジェクトはさらに前記ディスプレイ上で第四の視覚的表現に関連付けされている、本のオブジェクトと、
前記第一、第二、第三、第四の視覚的表現の少なくとも二つを選択的に関連付ける第一のユーザ入力デバイスとを備え、
前記第一、第二、第三、第四の視覚的表現を関連付けることで前記それぞれのオブジェクトを関連付けることになる、インタフェース。
【請求項２】
コンピュータで実現され、生産印刷ワークフローを表現し制御するインタフェースにおいて、
ディスプレイと、
ドキュメントを表現する第一のドキュメント・エンティティであって、前記ドキュメントはさらに内容とフォーマッティングを含み、前記フォーマッティングは前記ドキュメントの少なくとも１ページを定義し、前記第一のドキュメント・エンティティは前記ディスプレイ上の第一の視覚的表現と関連付けられる、第一のドキュメント・エンティティと、
グローバルなドキュメント属性を表現するドキュメント・チケット・エンティティであって、前記ドキュメント・チケット・エンティティは前記ディスプレイ上の第二の視覚的表現と関連付けられ、前記第一のドキュメント・エンティティと関連付けられることもできる、ドキュメント・チケット・エンティティと、
前記少なくとも１ページの中の１ページのページ属性を表現するページ・エンティティであって、前記ページ・エンティティは前記ディスプレイ上の第三の視覚的表現と関連付けられ、前記第一のドキュメント・エンティティと関連付けられることもできる、ページ・エンティティと、
前記第一のドキュメント・エンティティの少なくとも一つと第二のドキュメント・エンティティとの順序づけられた関連付けを表現できる本のエンティティで、前記第二のドキュメント・エンティティは、前記第一のドキュメント・エンティティの少なくとも一つの各々においてそれぞれのドキュメントのすべての順序づけられた組立てを含む本のドキュメントと関連付けられていて、前記本のエンティティはさらに前記ディスプレイ上の第四の視覚的表現に関連付けされている、本のエンティティと、
前記第一、第二、第三の視覚的表現の少なくとも二つを選択的に関連付ける第一のユーザ入力デバイスとを備え、
前記第一、第二、第三の視覚的表現を関連付けることで前記それぞれのエンティティを関連付けることになるインタフェース。
【請求項３】
生産印刷ワークフローの管理システムにおいて、
複数のドキュメントを受け取るレシーバであって、前記複数のドキュメントは各々がプリンタ用ファイル形式で符号化され、内容とドキュメント・フォーマッティングを含み、前記ドキュメント・フォーマッティングは前記内容の少なくとも１ページを定義する、レシーバと、
前記複数のドキュメントの一つまたはそれを越えるドキュメントと本のドキュメントとの順序づけられた関連付けを含む本のエンティティを生成するように動作させることができる本の生成部で、前記本のドキュメントはプリンタ用ファイル形式で符号化され、前記複数のドキュメントの一つまたはそれを越えるそれぞれのすべての順序づけられた組立てを含む、本の生成部とを備え、
前記複数のドキュメントの前記一つまたはそれを越えるドキュメントの各々は独立に変更できる、管理システム。
【請求項４】
生産印刷ワークフローの制御方法において、
（ａ）ドキュメントの第一の視覚的表現をディスプレイに表示し、
（ｂ）前記ドキュメントと関連付けられることができるグローバルなドキュメント属性の第二の視覚的表現を前記ディスプレイに表示し、
（ｃ）前記第一の視覚的表現を前記第二の視覚的表現に選択的に関連付け、
（ｄ）（ｃ）に基づき、前記グローバルなドキュメント属性を前記ドキュメントに適用するように、前記グローバルなドキュメント属性を前記ドキュメントにリンクし、
（ｅ）前記ドキュメントの順序づけられた一つまたはそれを越えるドキュメントに関連付けることができる複合ドキュメントの第三の視覚的表現を前記ディスプレイに表示し、
（ｆ）前記第三の視覚的表現を前記第一の視覚的表現の一つまたはそれを越える表現に選択的に関連付け、
（ｇ）（ｆ）に基づき、前記第三の視覚的表現に関連付けられた第四の視覚的表現を持ち、前記ドキュメントの前記順序づけられた一つまたはそれを越えるドキュメントの順序づけられた組立てを含む、本のドキュメントを生成することを備える、制御方法。
【手続補正２】
【補正対象書類名】明細書
【補正対象項目名】００５８
【補正方法】変更
【補正の内容】
【００５８】
したがって、上記の詳細な記述は限定するものではなく実例として見なされることを意図し、そして、本発明の趣旨と範囲を定義するように意図されたのは、すべての相当物を含む、後述の請求項であることは理解されることを意図している。本実施形態には、以下の実施態様が含まれることを付記しておく。
（第１）
コンピュータで実現され、生産印刷ワークフローを表現し制御するインタフェースにおいて、ディスプレイと、ドキュメントを表現する第一のドキュメント・オブジェクトであって、前記ドキュメントはさらに内容とフォーマッティングを含み、前記フォーマッティングは前記ドキュメントの少なくとも１ページを定義し、前記第一のドキュメント・オブジェクトは前記ディスプレイ上で第一の視覚的表現と関連付けられる、第一のドキュメント・オブジェクトと、グローバルなドキュメント属性を表現するドキュメント・チケット・オブジェクトであって、前記ドキュメント・チケット・オブジェクトは前記ディスプレイ上で第二の視覚的表現と関連付けられ、前記第一のドキュメント・オブジェクトと関連付けられることもできる、ドキュメント・チケット・オブジェクトと、前記少なくとも１ページの中の１ページのページ属性を表現するページ・オブジェクトであって、前記ページ・オブジェクトは前記ディスプレイ上で第三の視覚的表現と関連付けられ、前記第一のドキュメント・オブジェクトと関連付けられることもできる、ページ・オブジェクトと、前記第一のドキュメント・オブジェクトの少なくとも一つと第二のドキュメント・オブジェクトとの順序づけられた関連付けを表現できる本のオブジェクトで、前記第二のドキュメント・オブジェクトは、前記第一のドキュメント・オブジェクトの前記少なくとも一つの各々においてそれぞれのドキュメントのすべての順序づけられた組立てを含む本のドキュメントと関連付けられていて、前記本のオブジェクトはさらに前記ディスプレイ上で第四の視覚的表現に関連付けされている、本のオブジェクトと、前記第一、第二、第三、第四の視覚的表現の少なくとも二つを選択的に関連付ける第一のユーザ入力デバイスとを備え、前記第一、第二、第三、第四の視覚的表現を関連付けることで前記それぞれのオブジェクトを関連付けることになる、インタフェース。
（第２）
前記インタフェースはさらにグラフィック・ユーザ・インタフェースを備える、（第１）に記載のインタフェース。
（第３）
前記第一のユーザ入力デバイスはポインティング・デバイスを含む、（第１）に記載のインタフェース。
（第４）
前記本のオブジェクトの前記順序づけられた関連付けは、さらに前記第一のドキュメントの前記少なくとも一つと前記ページ・オブジェクトの一つまたはそれを越えるページ・オブジェクトの間の関連付けと含む、（第１）に記載のインタフェース。
（第５）
前記本のドキュメントは、前記第一のドキュメント・オブジェクトの前記少なくとも一つから自動的に生成される、（第１）に記載のインタフェース。
（第６）
前記本のオブジェクトの前記順序づけられた関連付けは、さらに、一つまたはそれを越えるドキュメント・チケット・オブジェクトとの関連付けと含む、（第１）に記載のインタフェース。
（第７）
前記ドキュメント・チケット・オブジェクトと前記本のオブジェクトとの前記関連付けは、前記グローバルなドキュメント属性を前記第一のドキュメント・オブジェクトの前記少なくとも一つにおいて前記ドキュメントの各々に適用されるように操作することができる、（第６）に記載のインタフェース。
（第８）
前記グローバルなドキュメント属性は注釈付けを含む、（第７）に記載のインタフェース。
（第９）
前記第一のドキュメント・オブジェクトの前記少なくとも一つのどれにおいても変更を検出し、前記第二のドキュメント・オブジェクトにおいて前記本のドキュメントを更新する、論理をさらに備える、（第１）に記載のインタフェース。
（第１０）
前記検出は自動化されている、（第９）に記載のインタフェース。
（第１１）
前記更新は自動化されている、（第９）に記載のインタフェース。
（第１２）
前記更新は手作業である、（第９）に記載のインタフェース。
（第１３）
前記本のドキュメントが印刷のために選択されたときに、前記更新が起きる、（第９）に記載のインタフェース。
（第１４）
前記第一のドキュメント・オブジェクトの前記少なくとも一つのどれかの前記変更されたものの部分集合だけが、前記本のドキュメントに更新される、（第９）に記載のインタフェース。
（第１５）
前記部分集合は手作業で決定される、（第１４）に記載のインタフェース。
（第１６）
前記第一のドキュメント・オブジェクトの前記少なくとも一つの各々において、前記内容のそれぞれを読み、前記本のドキュメントにおいて目次を生成するように動作させることができる、目次生成部をさらに備える、（第１）に記載のインタフェース。
（第１７）
前記目次生成部は選択的に動かなくさせることができる、（第１６）に記載のインタフェース。
（第１８）
前記目次生成部はさらに、前記第一のドキュメント・オブジェクトの少なくとも一つの中の前記一つのどれが表紙を含むかを判定し、前記本のドキュメントにおいて前記表紙の後に前記目次を順序正しく配置するように動作させることができる、（第１６）に記載のインタフェース。
（第１９）
前記順序づけられた関連付けは、前記本のオブジェクトの一つを越えるオブジェクトの間で排他的ではない、（第１）に記載のインタフェース。
（第２０）
前記第二のドキュメント・オブジェクトが印刷されたときに、ユーザは前記少なくとも一つの第一のドキュメント・オブジェクトの一つまたはそれを越えるオブジェクトに対応する前記ドキュメントを、それらの現れるように、選択的に印刷してもよい、（第１）に記載のインタフェース。
（第２１）
前記順序づけられた組立てにおいて、前記それぞれのドキュメントの一つまたはそれを越えるドキュメントをユーザは選択的に印刷してもよい、（第１）に記載のインタフェース。
（第２２）
前記選択的に印刷されたドキュメントは、前記順序づけられた組立ての一部として、関連付けられたフォーマッティングを保持する、（第２１）に記載のインタフェース。
（第２３）
コンピュータで実現され、生産印刷ワークフローを表現し制御するインタフェースにおいて、ディスプレイと、ドキュメントを表現する第一のドキュメント・エンティティであって、前記ドキュメントはさらに内容とフォーマッティングを含み、前記フォーマッティングは前記ドキュメントの少なくとも１ページを定義し、前記第一のドキュメント・エンティティは前記ディスプレイ上の第一の視覚的表現と関連付けられる、第一のドキュメント・エンティティと、グローバルなドキュメント属性を表現するドキュメント・チケット・エンティティであって、前記ドキュメント・チケット・エンティティは前記ディスプレイ上の第二の視覚的表現と関連付けられ、前記第一のドキュメント・エンティティと関連付けられることもできる、ドキュメント・チケット・エンティティと、前記少なくとも１ページの中の１ページのページ属性を表現するページ・エンティティであって、前記ページ・エンティティは前記ディスプレイ上の第三の視覚的表現と関連付けられ、前記第一のドキュメント・エンティティと関連付けられることもできる、ページ・エンティティと、前記第一のドキュメント・エンティティの少なくとも一つと第二のドキュメント・エンティティとの順序づけられた関連付けを表現できる本のエンティティで、前記第二のドキュメント・エンティティは、前記第一のドキュメント・エンティティの少なくとも一つの各々においてそれぞれのドキュメントのすべての順序づけられた組立てを含む本のドキュメントと関連付けられていて、前記本のエンティティはさらに前記ディスプレイ上の第四の視覚的表現に関連付けされている、本のエンティティと、前記第一、第二、第三の視覚的表現の少なくとも二つを選択的に関連付ける第一のユーザ入力デバイスとを備え、前記第一、第二、第三の視覚的表現を関連付けることで前記それぞれのエンティティを関連付けることになるインタフェース。
（第２４）
前記インタフェースはさらにグラフィック・ユーザ・インタフェースを備える、（第２３）に記載のインタフェース。
（第２５）
前記第一のユーザ入力デバイスはポインティング・デバイスを含む、（第２３）に記載のインタフェース。
（第２６）
前記第一、第二、第三の視覚的表現の関連付けは、前記ディスプレイ上で視覚的に表現される、（第２３）に記載のインタフェース。
（第２７）
前記関連付けは前記ディスプレイ上で階層的な形式で表現される、（第２６）に記載のインタフェース。
（第２８）
前記本のエンティティの前記順序づけられた関連付けは、さらに前記第一のドキュメントの前記少なくとも一つと前記ページ・エンティティの一つまたはそれを越えるページ・エンティティの間の関連付けと含む、（第２３）に記載のインタフェース。
（第２９）
前記本のドキュメントは、前記第一のドキュメント・エンティティの前記少なくとも一つから自動的に生成される、（第２３）に記載のインタフェース。
（第３０）
前記本のエンティティの前記順序づけられた関連付けは、さらに、一つまたはそれを越えるドキュメント・チケット・エンティティとの関連付けと含む、（第２３）に記載のインタフェース。
（第３１）
前記ドキュメント・チケット・エンティティと前記本のエンティティとの前記関連付けは、前記グローバルなドキュメント属性を前記第一のドキュメント・エンティティの前記少なくとも一つにおいて前記ドキュメントの各々に適用されるように操作することができる、（第３０）に記載のインタフェース。
（第３２）
前記グローバルなドキュメント属性は注釈付けを含む、（第３１）に記載のインタフェース。
（第３３）
前記第一のドキュメント・エンティティの前記少なくとも一つのどれにおいても変更を検出し、前記第二のドキュメント・エンティティにおいて前記本のドキュメントを更新する、論理をさらに備える、（第２３）に記載のインタフェース。
（第３４）
前記検出は自動化されている、（第３３）に記載のインタフェース。
（第３５）
前記更新は自動化されている、（第３３）に記載のインタフェース。
（第３６）
前記更新は手作業である、（第３３）に記載のインタフェース。
（第３７）
前記本のドキュメントが印刷のために選択されたときに、前記更新が起きる、（第３３）に記載のインタフェース。
（第３８）
前記第一のドキュメント・エンティティの前記少なくとも一つのどれかの前記変更されたものの部分集合だけが、前記本のドキュメントに更新される、（第３３）に記載のインタフェース。
（第３９）
前記部分集合は手作業で決定される、（第３８）に記載のインタフェース。
（第４０）
前記第一のドキュメント・エンティティの前記少なくとも一つの各々において、前記内容のそれぞれを読み、前記本のドキュメントにおいて目次を生成するように動作させることができる、目次生成部をさらに備える、（第２３）に記載のインタフェース。
（第４１）
前記目次生成部は選択的に動かなくさせることができる、（第４０）に記載のインタフェース。
（第４２）
前記目次生成部はさらに、前記第一のドキュメント・エンティティの少なくとも一つの中の前記一つのどれが表紙を含むかを判定し、前記本のドキュメントにおいて前記表紙の後に前記目次を順序正しく配置するように動作させることができる、（第４０）に記載のインタフェース。
（第４３）
前記順序づけられた関連付けは、前記本のエンティティの一つを越えるエンティティの間で排他的ではない、（第２３）に記載のインタフェース。
（第４４）
前記第二のドキュメント・エンティティが印刷されたときに、ユーザは前記少なくとも一つの第一のドキュメント・エンティティの一つまたはそれを越えるエンティティに対応する前記ドキュメントを、それらの現れるように、選択的に印刷してもよい、（第２３）に記載のインタフェース。
（第４５）
前記順序づけられた組立てにおいて、前記それぞれのドキュメントの一つまたはそれを越えるドキュメントをユーザは選択的に印刷してもよい、（第２３）に記載のインタフェース。
（第４６）
前記選択的に印刷されたドキュメントは、前記順序づけられた組立ての一部として、関連付けられたフォーマッティングを保持する、（第４５）に記載のインタフェース。
（第４７）
前記ドキュメントはプリンタ用ファイル形式で符号化されている、（第２３）に記載のインタフェース。
（第４８）
前記プリンタ用ファイル形式は、ポータブル・ドキュメント・フォーマット、ポストスクリプト、そしてプリンタ制御言語からなる群から選択された形式である、（第４７）に記載のインタフェース。
（第４９）
生産印刷ワークフローの管理システムにおいて、複数のドキュメントを受け取るレシーバであって、前記複数のドキュメントは各々がプリンタ用ファイル形式で符号化され、内容とドキュメント・フォーマッティングを含み、前記ドキュメント・フォーマッティングは前記内容の少なくとも１ページを定義する、レシーバと、前記複数のドキュメントの一つまたはそれを越えるドキュメントと本のドキュメントとの順序づけられた関連付けを含む本のエンティティを生成するように動作させることができる本の生成部で、前記本のドキュメントはプリンタ用ファイル形式で符号化され、前記複数のドキュメントの一つまたはそれを越えるそれぞれのすべての順序づけられた組立てを含む、本の生成部とを備え、前記複数のドキュメントの前記一つまたはそれを越えるドキュメントの各々は独立に変更できる、管理システム。
（第５０）
前記複数のドキュメントの一つまたはそれを越えるドキュメントは一つまたはそれを越える本のエンティティと関連付けられてもよい、（第４９）に記載のシステム。
（第５１）
前記プリンタ用ファイル形式は、ポータブル・ドキュメント・フォーマット、ポストスクリプト、そしてプリンタ制御言語からなる群から選択された形式である、（第４９）に記載のシステム。
（第５２）
前記複数のドキュメントの一つまたはそれを越えるドキュメントへの変更により、前記本のドキュメントへの同一の変更が更新される、（第４９）に記載のシステム。
（第５３）
前記更新は自動的に起こる、（第５２）に記載のシステム。
（第５４）
前記更新は手作業で起こる、（第５２）に記載のシステム。
（第５５）
前記本のエンティティが印刷されるときに、前記更新が起きる、（第５２）に記載のシステム。
（第５６）
前記複数のドキュメントの前記一つまたはそれを越えるドキュメントへの前記変更の部分集合だけが、前記本のドキュメントにおいて前記同一の変更に更新される、（第５２）に記載のシステム。
（第５７）
前記部分集合は手作業で決定される、（第５６）に記載のシステム。
（第５８）
前記本の生成部は、前記複数のドキュメントの前記一つまたはそれを越えるドキュメントの各々の前記内容を読み、前記本のドキュメントにおいて目次を生成するように動作させることができる目次生成部をさらに備える、（第４９）に記載のシステム。
（第５９）
前記目次生成部は選択的に動かなくさせることができる、（第５８）に記載のシステム。
（第６０）
前記目次生成部はさらに、前記一つまたはそれを越える複数のドキュメントのどれが表紙を含むかを判定し、前記本のドキュメントにおいて前記表紙の後に前記目次を順序正しく配置するように動作させることができる、（第５８）に記載のシステム。
（第６１）
前記本のドキュメントは、前記複数のドキュメントの前記一つまたはそれを越えるドキュメントの間の順序づけにより特徴付けられ、前記本の生成部はさらに、前記複数のドキュメントの前記一つまたはそれを越えるドキュメントの部分集合を選択的に印刷するように動作させることができ、そこで、前記部分集合は前記順序づけ特性を保持する、（第４９）に記載のシステム。
（第６２）
生産印刷ワークフローの制御方法において、（ａ）ドキュメントの第一の視覚的表現をディスプレイに表示し、（ｂ）前記ドキュメントと関連付けられることができるグローバルなドキュメント属性の第二の視覚的表現を前記ディスプレイに表示し、（ｃ）前記第一の視覚的表現を前記第二の視覚的表現に選択的に関連付け、（ｄ）（ｃ）に基づき、前記グローバルなドキュメント属性を前記ドキュメントに適用するように、前記グローバルなドキュメント属性を前記ドキュメントにリンクし、（ｅ）前記ドキュメントの順序づけれらた一つまたはそれを越えるドキュメントに関連付けることができる複合ドキュメントの第三の視覚的表現を前記ディスプレイに表示し、（ｆ）前記第三の視覚的表現を前記第一の視覚的表現の一つまたはそれを越える表現に選択的に関連付け、（ｇ）（ｆ）に基づき、前記第三の視覚的表現に関連付けられた第四の視覚的表現を持ち、前記ドキュメントの前記順序づけれらた一つまたはそれを越えるドキュメントの順序づけられた組立てを含む、本のドキュメントを生成することを備える、制御方法。
（第６３）
前記ドキュメントはさらに１ページまたはそれを越えるページを含み、前記方法は、（ｈ）前記１ページまたはそれを越えるページの１ページと関連付けることができるページ属性の第五の視覚的表現を前記ディスプレイに表示し、（ｉ）前記第五の視覚的表現を前記第一の視覚的表現に選択的に関連付け、（ｊ）（ｉ）に基づき、前記ページ属性が前記１ページまたはそれを越えるページの中の対応する１ページに適用されるように、前記ページ属性を前記１ページまたはそれを越えるページの中の前記対応する１ページにリンクさせることをさらに備える、（第６２）に記載の方法。
（第６４）
前記ページ属性には、注釈付け、組付け、媒体の種類、媒体のソース、媒体の特性、両面か片面か(plex)、装丁、マスキングからなる群から選択された属性を含む、（第６３）に記載の方法。
（第６５）
（ｃ）と（ｆ）では、前記視覚的表現のそれぞれを前記視覚的表現のそれぞれの別の表現にドラッグ・アンド・ドロップすることをさらに含む、（第６２）に記載の方法。
（第６６）
（ｃ）と（ｆ）に基づき、前記関連付けの第五の視覚的表現を表示することをさらに備える、（第６２）に記載の方法。
（第６７）
前記第五の視覚的表現は階層的な表示を含む、（第６６）に記載の方法。
（第６８）
（ｈ）前記複合ドキュメントで実行される一組の手順に対する第五の視覚的表現を前記ディスプレイに表示し、（ｉ）前記第三（第五）の視覚的表現を前記第三の視覚的表現に選択的に関連付け、（ｊ）（ｉ）に基づき、前記ドキュメントで前記一組の手順を実行することをさらに備える、（第６２）に記載の方法。
（第６９）
前記ドキュメントはプリンタ用ファイル形式で符号化されている、（第６２）に記載の方法。
（第７０）
前記プリンタ用ファイル形式は、ポータブル・ドキュメント・フォーマット、ポストスクリプト、そしてプリンタ制御言語からなる群から選択された形式である、（第６９）に記載の方法。
（第７１）
前記（ａ）から（ｇ）はグラフィック・ユーザ・インタフェースにより実現される、（第６２）に記載の方法。
（第７２）
前記グラフィック・ユーザ・インタフェースはオブジェクト指向である、（第７１）に記載の方法。
（第７３）
（ｈ）前記本のドキュメントの目次を、前記順序づけられた一つまたはそれを越えるドキュメントから生成することをさらに備える、（第６２）に記載の方法。
（第７４）
（ｉ）（ｈ）を選択的に動かなくさせることをさらに備える、（第７３）に記載の方法。
（第７５）
（ｉ）前記ドキュメントの前記順序づけられた一つまたはそれを越えるドキュメントのどれが表紙を含むかを判定し、（ｊ）前記本のドキュメントにおいて、前記表紙の後に順序正しく前記生成された目次を挿入することをさらに備える、（第７３）に記載の方法。
（第７６）
（ｈ）前記本のドキュメントにおいて、前記一つまたはそれを越えるドキュメントの部分集合をそれらのドキュメントが組み立てられたように見えるように、選択的に印刷することをさらに備える、（第６２）に記載の方法。
（第７７）
（ｈ）前記一つまたはそれを越えるドキュメントにおける変更を前記本のドキュメントへ更新することをさらに備える、（第６２）に記載の方法。
（第７８）
（ｈ）は自動的に起こる、（第７７）に記載の方法。
（第７９）
（ｈ）は手作業で起こる、（第７７）に記載の方法。
（第８０）
前記本のドキュメントが印刷されるときに、（ｈ）が起こる、（第７７）に記載の方法。
（第８１）
（ｈ）前記一つまたはそれを越えるドキュメントの変更の部分集合を、前記本のドキュメントに更新する、（第６２）に記載の方法。
（第８２）
前記部分集合は手作業で決定される、（第８１）に記載の方法。